(57)【要約】【課題】第１通信装置から処理装置に対して単位時間当たりに送信できるデータ量に制限があっても、第１入力装置が送信した第１入力情報と、第１入力装置の属性に関する除法とを処理装置に届けられる技術を提供する。【解決手段】通信システムは、第１通信装置と、第１通信装置と通信する第２通信装置と、を含む。第１通信装置は、第１入力装置から、第１入力情報と第１入力装置の属性に関する第１情報とを受信する第１通信部と、第１通信部が受信した第１情報を第２通信装置に送信せずに、第１通信部が受信した第１入力情報を第２通信装置に送信する第２通信部と、を含む。第２通信装置は、第１入力装置の属性に関する第２情報を記憶する記憶部と、第１通信装置から第１入力情報を受信する第３通信部と、記憶部が記憶している第２情報と、第３通信部が受信した第１入力情報とを、処理装置に出力する制御部とを含む。【選択図】図１
2019159764.tif 000002
【特許請求の範囲】
【請求項１】
第１通信装置と、前記第１通信装置と通信する第２通信装置と、を含み、
前記第１通信装置は、
第１入力装置から、第１入力情報と前記第１入力装置の属性に関する第１情報とを受信する第１通信部と、
前記第１通信部が受信した前記第１情報を前記第２通信装置に送信せずに、前記第１通信部が受信した前記第１入力情報を前記第２通信装置に送信する第２通信部と、を含み、
前記第２通信装置は、
前記第１入力装置の属性に関する第２情報を記憶する記憶部と、
前記第１通信装置から、前記第１入力情報を受信する第３通信部と、
前記記憶部が記憶している第２情報と、前記第３通信部が受信した第１入力情報とを、処理装置に出力する制御部と、を含む、
ことを特徴とする通信システム。
【請求項２】
前記第２情報は、前記第１情報と同一の情報であることを特徴とする請求項１に記載の通信システム。
【請求項３】
前記第１入力装置は、第１ＵＳＢデバイスであり、
前記制御部は、第２ＵＳＢデバイスであり、
前記処理装置は、ＵＳＢホストであり、
前記第１情報および前記第２情報は、前記第１ＵＳＢデバイスのディスクリプターを含む、
ことを特徴とする請求項１または２に記載の通信システム。
【請求項４】
前記ＵＳＢホストは、前記第２ＵＳＢデバイスから受信した前記第２情報を用いて、前記第２ＵＳＢデバイスとの通信を確立し、
前記第２ＵＳＢデバイスは、前記ＵＳＢホストとの通信が確立した後に、当該確立された通信で前記第１入力情報を前記ＵＳＢホストに出力する、
ことを特徴とする請求項３に記載の通信システム。
【請求項５】
前記第１通信部は、第２入力装置から、第２入力情報と、前記第２入力装置の属性に関する第３情報とを受信し、
前記第２通信部は、
前記第１通信部が受信した前記第３情報を前記第２通信装置に送信せずに、前記第１通信部が受信した前記第２入力情報を前記第２通信装置に送信し、
前記第１通信部が前記第１情報を受信した場合には、前記第１情報を識別する第１識別情報を前記第２通信装置に送信し、
前記第１通信部が前記第３情報を受信した場合には、前記第３情報を識別する第２識別情報を前記第２通信装置に送信し、
前記第１識別情報は、前記第１情報よりもデータ量が少なく、
前記第２識別情報は、前記第３情報よりもデータ量が少なく、
前記記憶部は、前記第２入力装置の属性に関する第４情報を記憶し、
前記第３通信部は、前記第１通信装置から、前記第２入力情報と、前記第１識別情報と、前記第２識別情報とを受信し、
前記制御部は、
前記第３通信部が前記第１識別情報を受信した場合、前記記憶部が記憶している前記第２情報を前記処理装置に出力し、
前記第３通信部が前記第１入力情報を受信した場合、当該第１入力情報を前記処理装置に出力し、
前記第３通信部が前記第２識別情報を受信した場合、前記記憶部が記憶している前記第４情報を前記処理装置に出力し、
前記第３通信部が前記第２入力情報を受信した場合、当該第２入力情報を前記処理装置に出力する、
ことを特徴とする請求項１から４のいずれか１項に記載の通信システム。
【請求項６】
前記第２通信装置は、複数の第２通信装置のいずれかであり、
前記複数の第２通信装置の中から前記第１入力情報の送信先を選択する選択操作を受け付ける受付部を含み、
前記第２通信部は、前記選択操作によって前記送信先として選択された第２通信装置に、前記第１入力情報を送信し、
前記制御部は、前記処理装置と通信を確立した状況で当該制御部を含む第２通信装置が前記送信先でなくなっても、前記処理装置との通信の確立を維持する、
ことを特徴とする請求項１から５のいずれか１項に記載の通信システム。
【請求項７】
第１入力装置から、第１入力情報と前記第１入力装置の属性に関する第１情報とを受信する第１通信部と、
前記第１通信部が受信した前記第１情報を、前記第１入力装置の属性に関する第２情報を記憶する第１外部通信装置に送信せずに、前記第１通信部が受信した前記第１入力情報を前記第１外部通信装置に送信することによって、前記第１外部通信装置に、前記第２情報と前記第１入力情報とを処理装置に出力する動作を実行させる第２通信部と、
を含むことを特徴とする通信装置。
【請求項８】
第１入力装置から第１入力情報と前記第１入力装置の属性に関する第１情報とを受信し前記第１情報を送信せずに前記第１入力情報を送信する第２外部通信装置から、前記第１入力情報を受信する通信部と、
前記第１入力装置の属性に関する第２情報を記憶する記憶部と、
前記記憶部が記憶している前記第２情報と、前記通信部が受信した第１入力情報とを、処理装置に出力する制御部と、
を含むことを特徴とする通信装置。
【請求項９】
第１通信装置が、第１入力装置から、第１入力情報と、前記第１入力装置の属性に関する第１情報とを、受信し、
前記第１通信装置が、前記第１情報を、前記第１入力装置の属性に関する第２情報を記憶する第２通信装置に送信せずに、前記第１入力情報を前記第２通信装置に送信し、
前記第２通信装置が、前記第１通信装置から前記第１入力情報を受信し、
前記第２通信装置が、前記第２情報と前記第１入力情報とを処理装置に出力する、
ことを特徴とする通信方法。
【発明の詳細な説明】
【技術分野】
【０００１】
本発明は、通信システム、通信装置および通信方法に関する。
【背景技術】
【０００２】
特許文献１には、液晶プロジェクターとＰＣ（パーソナルコンピューター）とを含むシステムが記載されている。このシステムでは、液晶プロジェクターは、リモコン（リモートコントローラー）装置から受信した情報をＰＣに送信する。
【先行技術文献】
【特許文献】
【０００３】
【特許文献１】特開２００６−２５８８３３号公報
【発明の概要】
【発明が解決しようとする課題】
【０００４】
特許文献１に記載されたようなシステムでは、プロジェクター等の第１装置と、ＰＣ等の処置装置が、リモコン装置等の入力装置と、所定の規格に従って通信する場合、入力装置は、入力内容を示す入力情報に加えて、入力装置の属性に関する情報も送信することがある。この場合、第１装置は、入力装置から受信した入力情報に加えて、入力装置から受信した入力装置の属性に関する情報を処理装置へ送信する。
【０００５】
しかしながら、処理装置に対して単位時間当たりに送信できるデータ量に制約がある場合、第１装置が、処理装置に対して、入力情報に加えて、入力装置の属性に関する情報を送信することが困難となるおそれがある。このため、処理装置が、入力情報と、入力装置の属性に関する情報とを受信できない状況が発生しやすくなる。
【課題を解決するための手段】
【０００６】
本発明に係る通信システムの一態様は、第１通信装置と、前記第１通信装置と通信する第２通信装置と、を含み、前記第１通信装置は、第１入力装置から、第１入力情報と前記第１入力装置の属性に関する第１情報とを受信する第１通信部と、前記第１通信部が受信した第１情報を前記第２通信装置に送信せずに、前記第１通信部が受信した第１入力情報を前記第２通信装置に送信する第２通信部と、を含み、前記第２通信装置は、前記第１入力装置の属性に関する第２情報を記憶する記憶部と、前記第１通信装置から、前記第１入力情報を受信する第３通信部と、前記記憶部が記憶している第２情報と、前記第３通信部が受信した第１入力情報とを、処理装置に出力する制御部とを含むことを特徴とする。
【０００７】
この態様によれば、第１通信装置が、第１入力装置から受信した第１入力装置に関する第１情報を送信しなくても、第１入力装置から受信した第１入力情報を第２通信装置に送信すれば、処理装置は、第２通信装置から、第１入力情報と、第１入力装置の属性に関する第２情報と、を受信できる。
このため、処理装置に対して単位時間当たりに送信できるデータ量に制限があり、第１通信装置が第１情報を送信しなくても、処理装置は、第１入力情報と第２情報とを受信することが可能になる。
【０００８】
上述した通信システムの一態様において、前記第２情報は、前記第１情報と同一の情報であるが望ましい。
この態様によれば、第１通信装置が第１情報を送信できなくても、処理装置は、第１情報と同一の情報である第２情報を受信することが可能になる。
【０００９】
上述した通信システムの一態様において、前記第１入力装置は、第１ＵＳＢデバイスであり、前記制御部は、第２ＵＳＢデバイスであり、前記処理装置は、ＵＳＢホストであり、前記第１情報および前記第２情報は、前記第１ＵＳＢデバイスのディスクリプターを含むことが望ましい。
この態様によれば、第２ＵＳＢデバイスが、第１ＵＳＢデバイスのディスクリプターをＵＳＢホストに出力するため、第２ＵＳＢデバイスは、第１ＵＳＢデバイスと同様にコンフィギュレーションされる。このため、第２ＵＳＢデバイスは、第１通信装置を介して受信した第１ＵＳＢデバイスの第１入力情報を、第１ＵＳＢデバイスの代わりにＵＳＢホストに出力することが可能になる。
【００１０】
上述した通信システムの一態様において、前記ＵＳＢホストは、前記第２ＵＳＢデバイスから受信した第２情報を用いて、前記第２ＵＳＢデバイスとの通信を確立し、前記第２ＵＳＢデバイスは、前記ＵＳＢホストとの通信が確立した後に、当該確立された通信で前記第１入力情報を前記ＵＳＢホストに出力することが望ましい。
この態様によれば、第２ＵＳＢデバイスは、ＵＳＢホストとの通信を確立してから、当該通信を利用して第１入力情報をＵＳＢホストに出力することが可能になる。
【００１１】
上述した通信システムの一態様において、前記第１通信部は、第２入力装置から、第２入力情報と、前記第２入力装置の属性に関する第３情報とを受信し、前記第２通信部は、前記第１通信部が受信した第３情報を前記第２通信装置に送信せずに、前記第１通信部が受信した第２入力情報を前記第２通信装置に送信し、前記第１通信部が前記第１情報を受信した場合には、前記第１情報を識別する第１識別情報を前記第２通信装置に送信し、前記第１通信部が前記第３情報を受信した場合には、前記第３情報を識別する第２識別情報を前記第２通信装置に送信し、前記第１識別情報は、前記第１情報よりもデータ量が少なく、前記第２識別情報は、前記第３情報よりもデータ量が少なく、前記記憶部は、前記第２入力装置の属性に関する第４情報を記憶し、前記第３通信部は、前記第１通信装置から、前記第２入力情報と、前記第１識別情報と、前記第２識別情報とを受信し、前記制御部は、前記第３通信部が前記第１識別情報を受信した場合、前記記憶部が記憶している第２情報を前記処理装置に出力し、前記第３通信部が前記第１入力情報を受信した場合、当該第１入力情報を前記処理装置に出力し、前記第３通信部が前記第２識別情報を受信した場合、前記記憶部が記憶している第４情報を前記処理装置に出力し、前記第３通信部が前記第２入力情報を受信した場合、当該第２入力情報を前記処理装置に出力することが望ましい。
この態様によれば、第１通信部が受信した入力装置の属性に関する情報に応じて、処理装置に出力する属性に関する情報を切り替えることが可能になる。
【００１２】
上述した通信システムの一態様において、前記第２通信装置は、複数の第２通信装置のいずれかであり、前記複数の第２通信装置の中から前記第１入力情報の送信先を選択する選択操作を受け付ける受付部を含み、前記第２通信部は、前記選択操作によって前記送信先として選択された第２通信装置に、前記第１入力情報を送信し、前記制御部は、前記処理装置と通信を確立した状況で当該制御部を含む第２通信装置が前記送信先でなくなっても、前記処理装置との通信の確立を維持することが望ましい。
この態様によれば、第２通信装置と処理装置との通信の確立を維持したまま、入力情報の送信先を切り替えることが可能になる。よって、入力情報の送信先を切り替えるごとに、第２通信装置と処理装置との通信を切断したり確立したりする場合に比べて、入力情報の送信先の切替えをスムーズに行うことが可能になる。
【００１３】
本発明に係る通信装置の一態様は、第１入力装置から、第１入力情報と前記第１入力装置の属性に関する第１情報とを受信する第１通信部と、前記第１通信部が受信した第１情報を、前記第１入力装置の属性に関する第２情報を記憶する第１外部通信装置に送信せずに、前記第１通信部が受信した第１入力情報を前記第１外部通信装置に送信することによって、前記第１外部通信装置に、前記第２情報と前記第１入力情報とを処理装置に出力する動作を実行させる第２通信部と、を含むことを特徴とする。
この態様によれば、通信装置から処理装置に対して単位時間当たりに送信できるデータ量に制限があり、通信装置が、第１入力装置の属性に関する第１情報を送信できなくても、処理装置は、第１外部通信装置から、第１入力情報と、第１入力装置の属性に関する第２情報とを受信することが可能になる。
【００１４】
本発明に係る通信装置の他の態様は、第１入力装置から第１入力情報と前記第１入力装置の属性に関する第１情報とを受信し前記第１情報を送信せずに前記第１入力情報を送信する第２外部通信装置から、前記第１入力情報を受信する通信部と、前記第１入力装置の属性に関する第２情報を記憶する記憶部と、前記記憶部が記憶している第２情報と、前記通信部が受信した第１入力情報とを、処理装置に出力する制御部とを含むことを特徴とする。
この態様によれば、第２外部通信装置から処理装置に対して単位時間当たりに送信できるデータ量に制限があり、第２外部通信装置が、第１入力装置の属性に関する第１情報を送信できなくても、処理装置は、通信装置から、第１入力情報と、第１入力装置の属性に関する第２情報とを受信することが可能になる。
【００１５】
本発明に係る通信方法の一態様は、第１通信装置が、第１入力装置から、第１入力情報と、前記第１入力装置の属性に関する第１情報とを、受信し、前記第１通信装置が、前記第１情報を、前記第１入力装置の属性に関する第２情報を記憶する第２通信装置に送信せずに、前記第１入力情報を前記第２通信装置に送信し、前記第２通信装置が、前記第１通信装置から前記第１入力情報を受信し、前記第２通信装置が、前記第２情報と前記第１入力情報とを処理装置に出力することを特徴とする。
この態様によれば、第１通信装置が、第１入力装置から受信した第１入力装置に関する第１情報を送信しなくても、第１入力装置から受信した第１入力情報を第２通信装置に送信すれば、処理装置は、第２通信装置から、第１入力情報と、第１入力装置の属性に関する第２情報と、を受信できる。
このため、第１通信装置から処理装置に対して単位時間当たりに送信できるデータ量に制限があり、第１通信装置が第１情報を送信できなくても、処理装置は、第１入力情報と第２情報とを受信することが可能になる。
【図面の簡単な説明】
【００１６】
【図１】第１実施形態に係る通信システム１００を示した図である。
【図２】第１実施形態における接続動作を説明するためのシーケンス図である。
【図３】第２実施形態に係る通信システム１００を示した図である。
【図４】第１ＤＢ３３ａの一例を示した図である。
【図５】第２ＤＢ２３ａの一例を示した図である。
【図６】第２実施形態における接続動作を説明するためのシーケンス図である。
【図７】第３ＵＳＢデバイス８が第１通信装置３に接続された場合の動作を説明するためのシーケンス図である。
【図８】第３実施形態に係る通信システム１００を示した図である。
【発明を実施するための形態】
【００１７】
以下、図面を参照しながら実施形態を説明する。図面において各部の寸法および縮尺は実際のものと適宜異なる。本実施形態には、技術的に好ましい種々の限定が付されている。しかしながら、本発明の範囲は、これらの形態に限られるものではない。
【００１８】
＜第１実施形態＞
図１は、第１実施形態に係る通信システム１００を示した図である。
通信システム１００は、ＰＣ１と、第２通信装置２と、第１通信装置３と、プロジェクター４と、第１ＵＳＢ（Universal Serial Bus）デバイス５と、を含む。なお、ＰＣ１とプロジェクター４と第１ＵＳＢデバイス５は、通信システム１００に含まれなくてもよい。通信システム１００では、ＰＣ１は、第１通信装置３と第２通信装置２とを介して、第１ＵＳＢデバイス５と通信する。
【００１９】
ＰＣ１は、ＨＤＭＩ（登録商標）（High Definition Multimedia Interface）ケーブル６を介して、画像情報を第２通信装置２に送信する。ＰＣ１は、第２ＵＳＢホスト１１を含む。第２ＵＳＢホスト１１は、処理装置の一例である。第２ＵＳＢホスト１１は、ＵＳＢ規格に従って通信する。ＵＳＢ規格は、所定の規格の一例である。
【００２０】
第２通信装置２は、通信装置および第１外部通信装置の一例である。第２通信装置２は、ＰＣ側通信部２１と、第２アンテナ２２と、第２記憶部２３と、第２処理部２４と、を含む。
【００２１】
ＰＣ側通信部２１は、第３通信部の一例である。ＰＣ側通信部２１は、ＰＣ１からＨＤＭＩケーブル６を介して画像情報を受け取る。ＰＣ側通信部２１は、ＰＣ１から受け取った画像情報を、WirelessＨＤ（登録商標）規格に従い６０ＧＨｚ帯のＨＲＰ（High Rate
Physical layer）の無線信号で第２アンテナ２２から送信する。
【００２２】
ＰＣ側通信部２１は、WirelessＨＤ規格に従い６０ＧＨｚ帯のＬＲＰ（Low Rate Physical
layer）の無線信号で第１通信装置３から送信された情報を受信する。ここで、第１通信装置３からWirelessＨＤ規格に従って無線送信された情報は、第１ＵＳＢデバイス５が出力した入力情報（以下「第１入力情報」とも称する）である。
【００２３】
ＬＲＰの無線信号は、ＨＲＰの無線信号に比べて、単位時間当たりに送信できるデータ量が少ない。換言すると、ＬＲＰの無線信号は、ＨＲＰの無線信号に比べて、単位時間当たりに送信できるデータ量の制約が大きい。
【００２４】
第２記憶部２３は、記憶部の一例である。第２記憶部２３は、コンピューター読み取り可能な記録媒体である。第２記憶部２３は、例えば、フラッシュメモリーである。第２記憶部２３は、第２通信装置２の動作を規定するプログラムを記憶する。第２記憶部２３は、第１ＵＳＢデバイス５のディスクリプターと同一の情報（以下「第１対応情報」とも称する）も記憶する。第１ＵＳＢデバイス５のディスクリプターは、第１ＵＳＢデバイス５の属性に関する第１情報の一例である。第１対応情報は、第１ＵＳＢデバイス５の属性に関する第２情報の一例である。
【００２５】
第２処理部２４は、ＣＰＵ（Central Processing Unit）等のコンピューターである。第２処理部２４は、１または複数のプロセッサーで構成されてもよい。第２処理部２４は、第２記憶部２３に記憶されているプログラムを読み取り実行することによって、第２ＵＳＢデバイス２５を実現する。
【００２６】
第２ＵＳＢデバイス２５は、制御部の一例である。第２ＵＳＢデバイス２５は、ＵＳＢ規格に従って通信する。第２ＵＳＢデバイス２５は、ＰＣ側通信部２１を介して、第１入力情報を受け取る。第２ＵＳＢデバイス２５は、第２記憶部２３に記憶されている第１対応情報を、ＵＳＢケーブル７を介して第２ＵＳＢホスト１１に出力する。第２ＵＳＢホスト１１は、第１対応情報を用いて、第２ＵＳＢデバイス２５についてコンフィギュレーションを実行する。第２ＵＳＢデバイス２５は、コンフィギュレーションの終了後、第１入力情報を第２ＵＳＢホスト１１に出力する。
【００２７】
第１通信装置３は、通信装置および第２外部通信装置の一例である。第１通信装置３は、プロジェクター（ＰＪ）側通信部３１と、第１アンテナ３２と、第１記憶部３３と、第１処理部３４と、を含む。
【００２８】
ＰＪ側通信部３１は、第２通信部の一例である。ＰＪ側通信部３１は、第２通信装置２からWirelessＨＤ規格に従って無線送信された画像情報を、第１アンテナ３２を介して受信する。ＰＪ側通信部３１は、画像情報をプロジェクター４に出力する。プロジェクター４は、画像情報に応じた画像を投射して表示する。
また、ＰＪ側通信部３１は、第１ＵＳＢデバイス５が送信した第１入力情報を、第１処理部３４を介して受信する。ＰＪ側通信部３１は、第１入力情報を、WirelessＨＤ規格に従い、６０ＧＨｚ帯のＬＲＰの無線信号で第１アンテナ３２から第２通信装置２へ送信する。ＰＪ側通信部３１は、第１ＵＳＢデバイス５が送信した第１ＵＳＢデバイス５のディスクリプターについては、第２通信装置２へ送信しない。
【００２９】
第１記憶部３３は、コンピューター読み取り可能な記録媒体である。第１記憶部３３は、例えば、フラッシュメモリーである。第１記憶部３３は、第１通信装置３の動作を規定するプログラムを記憶する。
【００３０】
第１処理部３４は、ＣＰＵ等のコンピューターである。第１処理部３４は、１または複数のプロセッサーで構成されてもよい。第１処理部３４は、第１記憶部３３に記憶されているプログラムを読み取り実行することによって、第１ＵＳＢホスト３５を実現する。
【００３１】
第１ＵＳＢホスト３５は、第１通信部の一例である。第１ＵＳＢホスト３５は、ＵＳＢ規格に従って通信する。第１ＵＳＢホスト３５は、第１ＵＳＢデバイス５と通信する。第１ＵＳＢデバイス５は、ＵＳＢ通信部５１とペン５２とを含むデジタイザーである。ＵＳＢ通信部５１とペン５２は、Bluetooth（登録商標）等の近距離無線通信によって相互に通信する。第１ＵＳＢデバイス５は、ペン５２によって決定される座標情報を第１入力情報として送信する。
【００３２】
第１ＵＳＢホスト３５に第１ＵＳＢデバイス５が接続されると、第１ＵＳＢホスト３５は、第１ＵＳＢデバイス５のディスクリプターを要求する旨の指示（以下「ディスクリプター要求」と称する）を第１ＵＳＢデバイス５に送信する。
第１ＵＳＢデバイス５は、ディスクリプター要求に応じて、第１ＵＳＢデバイス５のディスクリプターを送信する。第１ＵＳＢホスト３５は、第１ＵＳＢデバイス５から、第１ＵＳＢデバイス５のディスクリプターを受信する。第１ＵＳＢホスト３５は、第１ＵＳＢデバイス５のディスクリプターを用いて、第１ＵＳＢデバイス５についてコンフィギュレーションを実行する。第１ＵＳＢデバイス５は、コンフィギュレーションの終了後、第１入力情報を第１ＵＳＢホスト３５に出力する。第１ＵＳＢホスト３５は、第１ＵＳＢデバイス５から、第１入力情報を受信する。
【００３３】
第１ＵＳＢホスト３５は、第１ＵＳＢデバイス５のディスクリプターをＰＪ側通信部３１に送信しないが、第１入力情報をＰＪ側通信部３１に送信する。
【００３４】
プロジェクター４は、表示装置の一例である。プロジェクター４は、画像情報に応じた画像を投射面に投射して表示する。
【００３５】
第１ＵＳＢデバイス５は、第１入力装置の一例である。第１ＵＳＢデバイス５はＨＩＤ（Human Interface Device）クラスのＵＳＢデバイスである。
【００３６】
次に、動作を説明する。
まず、プロジェクター４が、ＰＣ１から送信された画像情報に応じた画像を投射して表示する動作を説明する。
【００３７】
ＰＣ１が、ＨＤＭＩケーブル６を介して画像情報をＰＣ側通信部２１に送信すると、ＰＣ側通信部２１は、当該画像情報を受信する。ＰＣ側通信部２１は、ＰＣ１から受け取った画像情報を、WirelessＨＤ規格に従い、６０ＧＨｚ帯のＨＲＰの無線信号で第２アンテナ２２から送信する。
【００３８】
ＰＪ側通信部３１は、６０ＧＨｚ帯のＨＲＰの無線信号で送信された画像情報を、第１アンテナ３２を介して受信する。ＰＪ側通信部３１は、第１アンテナ３２を介して受信した画像情報をプロジェクター４に出力する。プロジェクター４は、ＰＪ側通信部３１から受信した画像情報に応じた画像を投射して表示する。
【００３９】
次に、第１ＵＳＢデバイス５が第１通信装置３に接続された場合の動作（以下「接続動作」とも称する）を説明する。図２は接続動作を説明するためのシーケンス図である。
【００４０】
第１ＵＳＢデバイス５のＵＳＢ通信部５１が、第１ＵＳＢホスト３５に物理的に接続されると（ステップＳ１０１）、第１ＵＳＢホスト３５は、ディスクリプター要求を第１ＵＳＢデバイス５に送信する（ステップＳ１０２）。
【００４１】
第１ＵＳＢデバイス５は、ディスクリプター要求を受信すると、第１ＵＳＢデバイス５のディスクリプターを第１ＵＳＢホスト３５に送信する（ステップＳ１０３）。
【００４２】
第１ＵＳＢホスト３５は、第１ＵＳＢデバイス５のディスクリプターを用いて、第１ＵＳＢデバイス５との通信についての設定を決定する。続いて、第１ＵＳＢホスト３５は、決定した設定を実行する旨の要求（以下「第１設定要求」とも称する）を、第１ＵＳＢデバイス５に送信する（ステップＳ１０４）。第１ＵＳＢデバイス５は、第１設定要求に従って通信の設定を実行する。
【００４３】
以上でステップＳ１０２からステップＳ１０４に至るコンフィギュレーションが完了する（ステップＳ１０５）。ステップＳ１０１からステップＳ１０４までの動作は、いわゆる「プラグアンドプレイ」とも称される。
【００４４】
なお、図２では、説明の簡略化を図るため、ステップＳ１０２とステップＳ１０３とステップＳ１０４を１つずつしか示していない。しかしながら、第１ＵＳＢデバイス５のディスクリプターは、デバイスディスクリプター、コンフィギュレーションディスクリプター、インターフェースディスクリプターおよびエンドポイントディスクリプター等を含むため、ディスクリプターごとに、ステップＳ１０２とステップＳ１０３とステップＳ１０４が実行されてもよい。
【００４５】
第１ＵＳＢデバイス５についてコンフィギュレーションが完了すると、第１ＵＳＢデバイス５は、第１入力情報を、第１ＵＳＢホスト３５に送信する（ステップＳ１０６）。第１ＵＳＢデバイス５は、パケットヘッダーが付された第１入力情報を第１ＵＳＢホスト３５に送信する。
【００４６】
第１ＵＳＢホスト３５は、パケットヘッダーが付された第１入力情報を受信すると、第１入力情報からパケットヘッダーを取り除く。続いて、第１ＵＳＢホスト３５は、パケットヘッダーが取り除かれた第１入力情報を、ＰＪ側通信部３１に出力する。
【００４７】
ＰＪ側通信部３１は、第１ＵＳＢホスト３５から第１入力情報を受信すると、当該第１入力情報を、WirelessＨＤ規格に従い６０ＧＨｚ帯のＬＲＰの無線信号で第１アンテナ３２から送信する（ステップＳ１０７）。つまり、ＰＪ側通信部３１は、第１ＵＳＢデバイス５のディスクリプターを第２通信装置２に送信せずに、第１入力情報を第２通信装置２に送信する。本実施形態では、ＰＪ側通信部３１は、WirelessＨＤ規格に従い定期的に発行するＬＲＰ応答信号に第１入力情報を載せることによって、第１入力情報を第２通信装置２に送信する。
【００４８】
ＰＣ側通信部２１は、第１通信装置３から送信された第１入力情報を受信すると、当該第１入力情報を、第２ＵＳＢデバイス２５に出力する。第２ＵＳＢデバイス２５は、第１入力情報を受け取ると、ＵＳＢケーブル７を介して第２ＵＳＢホスト１１に、第２ＵＳＢデバイス２５が電源オン状態になった旨を通知する（ステップＳ１０８）。
【００４９】
第２ＵＳＢホスト１１は、第２ＵＳＢデバイス２５からの通知によって、第２ＵＳＢデバイス２５の電源オンを検出すると、ディスクリプター要求を第２ＵＳＢデバイス２５に送信する（ステップＳ１０９）。
【００５０】
第２ＵＳＢデバイス２５は、ディスクリプター要求を受信すると、第２記憶部２３に記憶されている第１対応情報を、第２ＵＳＢホスト１１に出力する（ステップＳ１１０）。
第２ＵＳＢホスト１１は、第２ＵＳＢデバイス２５から受け取った第１対応情報を用いて、第２ＵＳＢデバイス２５との通信についての設定を決定する。
続いて、第２ＵＳＢホスト１１は、決定した設定を実行する旨の要求（以下「第２設定要求」とも称する）を、第２ＵＳＢデバイス２５に送信する（ステップＳ１１１）。第２ＵＳＢデバイス２５は、第２設定要求に従って通信の設定を実行する。
【００５１】
以上でステップＳ１０９からステップＳ１１１に至るコンフィギュレーションが完了する（ステップＳ１１２）。当該コンフィギュレーションの完了は、第２ＵＳＢホスト１１と第２ＵＳＢデバイス２５との通信が確立したことを意味する。ステップＳ１０８からステップＳ１１１までの動作は、いわゆる「プラグアンドプレイ」に準じた動作である。
【００５２】
第２ＵＳＢデバイス２５のコンフィギュレーションは、第１ＵＳＢデバイス５のディスクリプターと同一の情報を用いて実行される。このため、第２ＵＳＢホスト１１は、第２ＵＳＢデバイス２５を、第１ＵＳＢデバイス５として認識することになる。
【００５３】
第２ＵＳＢデバイス２５は、コンフィギュレーションの終了後、すなわち、第２ＵＳＢデバイス２５と第２ＵＳＢホスト１１との通信が確立した後、第１ＵＳＢデバイス５の第１入力情報を、第２ＵＳＢホスト１１に送信する（ステップＳ１１３）。第２ＵＳＢホスト１１が第１入力情報を受信すると、ＰＣ１は、第２ＵＳＢホスト１１が受信した第１入力情報に基づいて動作する。すなわち、ＰＣ１は、第１ＵＳＢデバイス５が出力した第１入力情報に基づいて動作する。
【００５４】
なお、ステップＳ１０８の開始タイミングは、第２通信装置２が第１入力情報を受信したタイミングに応じて決定されずに、ＵＳＢケーブル７を介して第２ＵＳＢホスト１１と第２ＵＳＢデバイス２５とが接続されたタイミングに応じて決定されてもよい。
【００５５】
本実施形態に係る通信システム１００および通信方法によれば、第１通信装置３が、第１ＵＳＢデバイス５から受信した第１ＵＳＢデバイス５のディスクリプターを送信しなくても、第２ＵＳＢホスト１１は、第２通信装置２から、第１入力情報と、第１ＵＳＢデバイス５の属性に関する第１対応情報とを、受信できる。
【００５６】
すなわち、本実施形態によれば、第１ＵＳＢデバイス５のディスクリプターの送信を省略することで、送信されるデータ量を削減しても、第２ＵＳＢホスト１１は、第１入力情報と、第１ＵＳＢデバイス５の属性に関する第１対応情報とを、受信できる。
よって、WirelessＨＤ規格の６０ＧＨｚ帯のＬＲＰの無線信号のように、ＨＲＰの無線信号に比べて単位時間当たりに送信できるデータ量に制限がある通信が用いられても、第２ＵＳＢホスト１１に、第１入力情報と、第１ＵＳＢデバイス５の属性に関する第１対応情報とを、届けることが可能になる。また、第１ＵＳＢデバイス５が送信する信号のすべてを無線送信できるように、さらなる無線伝送路を設定する必要も無いため、シンプルな無線インタラクティブ機器を構築することが可能である。
【００５７】
＜第２実施形態＞
第２実施形態では、第１通信装置３に装着されたＵＳＢデバイスに応じて、第２通信装置２からＰＣ１に伝えられる対応情報が、切り替えられる。
【００５８】
第２通信装置２は、複数のＵＳＢデバイスの各々のディスクリプターと同一の情報を記憶する。複数のＵＳＢデバイスの一例としては、マルチタッチが有効なデジタイザークラスのディスクリプターを有するＵＳＢデバイスと、マルチタッチが無効なマウスクラスのディスクリプターを有するＵＳＢデバイスとが挙げられる。
【００５９】
第１通信装置３は、第１通信装置３に接続されたＵＳＢデバイスのディスクリプターを識別する識別情報を、第２通信装置２に送信する。第２通信装置２の第２ＵＳＢデバイス２５は、第１通信装置３から受信した識別情報に応じたディスクリプターを、第２ＵＳＢホスト１１に出力する。第２ＵＳＢホスト１１は、第２ＵＳＢデバイス２５から受信したディスクリプターを用いて第２ＵＳＢデバイス２５をコンフィギュレーションする。
【００６０】
第２ＵＳＢデバイス２５のコンフィギュレーションは、第１通信装置３に接続されたＵＳＢデバイスのディスクリプターと同一の情報を用いて実行される。このため、第２ＵＳＢホスト１１は、第２ＵＳＢデバイス２５を、第１通信装置３に接続されたＵＳＢデバイスとして認識することになる。
【００６１】
図３は、第２実施形態に係る通信システム１００を示した図である。図３において、図１に示した構成と同一構成のものには同一符号を付してある。以下、第２実施形態に係る通信システム１００について、図１に示した構成と異なる点を中心に説明する。
【００６２】
第２実施形態に係る通信システム１００では、第１ＵＳＢホスト３５は、第１ＵＳＢデバイス５と接続されたり、第３ＵＳＢデバイス８と接続されたりする。
【００６３】
第３ＵＳＢデバイス８は、第２入力装置の一例である。第３ＵＳＢデバイス８は、ＵＳＢ通信部８１とマウス（登録商標）８２とを含む。ＵＳＢ通信部８１とマウス８２は、Bluetooth等の近距離無線通信によって相互に通信する。第３ＵＳＢデバイス８は、マウス８２が送信するクリック情報等を第２入力情報として出力する。また、第３ＵＳＢデバイス８は、第３ＵＳＢデバイス８のディスクリプターを出力する。第３ＵＳＢデバイス８のディスクリプターは、第３ＵＳＢデバイス８の属性に関する第３情報の一例である。
【００６４】
第１ＵＳＢホスト３５は、第３ＵＳＢデバイス８と接続されると、第３ＵＳＢデバイス８から、第２入力情報と、第３ＵＳＢデバイス８のディスクリプターとを、受信する。
第１ＵＳＢホスト３５は、第１ＵＳＢデバイス５と接続されると、第１ＵＳＢデバイス５から、第１入力情報と、第１ＵＳＢデバイス５のディスクリプターとを、受信する。
ＰＪ側通信部３１は、第１ＵＳＢホスト３５が受信した第２入力情報を、第２通信装置２に送信する。ＰＪ側通信部３１は、第１ＵＳＢホスト３５が受信した第１入力情報を、第２通信装置２に送信する。
【００６５】
第１記憶部３３は、第１ＤＢ（データベース）３３ａをさらに記憶する。図４は、第１ＤＢ３３ａの一例を示した図である。
第１ＤＢ３３ａは、第１ＵＳＢデバイス５のディスクリプター「ＡＡＡ」と、第１ＵＳＢデバイス５のディスクリプターの識別情報（以下「第１識別情報」とも称する）「Ａ」とを、互いに対応づけて記憶する。第１識別情報は、第１ＵＳＢデバイス５のディスクリプターよりもデータ量が少ない。
第１ＤＢ３３ａは、第３ＵＳＢデバイス８のディスクリプター「ＢＢＢ」と、第３ＵＳＢデバイス８のディスクリプターの識別情報（以下「第２識別情報」とも称する）「Ｂ」とを、互いに対応づけて記憶する。第２識別情報は、第３ＵＳＢデバイス８のディスクリプターよりもデータ量が少ない。
【００６６】
第１ＵＳＢホスト３５は、第１ＵＳＢデバイス５のディスクリプターを受信すると、第１ＤＢ３３ａを参照して、第１ＵＳＢデバイス５のディスクリプターに対応する第１識別情報を読み取る。ＰＪ側通信部３１は、第１ＵＳＢホスト３５が読み取った第１識別情報を第２通信装置２に送信する。すなわち、ＰＪ側通信部３１は、第１ＵＳＢホスト３５が第１ＵＳＢデバイス５のディスクリプターを受信した場合、第１ＵＳＢホスト３５が受信した第１ＵＳＢデバイス５のディスクリプターを第２通信装置２に送信せずに、第１識別情報を第２通信装置２に送信する。
【００６７】
第１ＵＳＢホスト３５は、第３ＵＳＢデバイス８のディスクリプターを受信すると、第１ＤＢ３３ａを参照して、第３ＵＳＢデバイス８のディスクリプターに対応する第２識別情報を読み取る。ＰＪ側通信部３１は、第１ＵＳＢホスト３５が読み取った第２識別情報を第２通信装置２に送信する。すなわち、ＰＪ側通信部３１は、第１ＵＳＢホスト３５が第３ＵＳＢデバイス８のディスクリプターを受信した場合、第１ＵＳＢホスト３５が受信した第３ＵＳＢデバイス８のディスクリプターを第２通信装置２に送信せずに、第２識別情報を第２通信装置２に送信する。
【００６８】
第２記憶部２３は、第２ＤＢ２３ａをさらに記憶する。図５は、第２ＤＢ２３ａの一例を示した図である。図５に示した第２ＤＢ２３ａは、図４に示した第１ＤＢ３３ａと同一構成である。
【００６９】
第２ＤＢ２３ａに記憶された第１ＵＳＢデバイス５のディスクリプターは、第１対応情報であり、第２情報の一例である。
【００７０】
第２ＤＢ２３ａに記憶された第３ＵＳＢデバイス８のディスクリプター（以下「第２対応情報」とも称する）は、第４情報の一例である。
【００７１】
ＰＣ側通信部２１は、第１通信装置３から、第２入力情報と、第１識別情報と、第２識別情報とを、さらに受信する。
【００７２】
第２ＵＳＢデバイス２５は、ＰＣ側通信部２１が第１識別情報を受信した場合、第２ＤＢ２３ａを参照して、第１識別情報に対応する第１ＵＳＢデバイス５のディスクリプター、つまり、第１対応情報を読み取る。続いて、第２ＵＳＢデバイス２５は、第１対応情報を、第２ＵＳＢホスト１１に出力する。
【００７３】
第２ＵＳＢデバイス２５は、ＰＣ側通信部２１が第１入力情報を受信した場合、当該第１入力情報を第２ＵＳＢホスト１１に出力する。
【００７４】
第２ＵＳＢデバイス２５は、ＰＣ側通信部２１が第２識別情報を受信した場合、第２ＤＢ２３ａを参照して、第２識別情報に対応する第３ＵＳＢデバイス８のディスクリプター、つまり、第２対応情報を読み取る。続いて、第２ＵＳＢデバイス２５は、第２対応情報を、第２ＵＳＢホスト１１に出力する。
【００７５】
第２ＵＳＢデバイス２５は、ＰＣ側通信部２１が第２入力情報を受信した場合、当該第２入力情報を第２ＵＳＢホスト１１に出力する。
【００７６】
次に、動作を説明する。
図６は、第１ＵＳＢデバイス５が第１通信装置３に接続された場合の動作を説明するためのシーケンス図である。図６において、図２に示した処理と同一の処理には同一符号を付してある。以下、図６に示した処理のうち、図２に示した処理と異なる処理を中心に説明する。
【００７７】
第１ＵＳＢホスト３５は、第１ＵＳＢデバイス５のディスクリプターを受信すると、第１ＤＢ３３ａを参照して、第１ＵＳＢデバイス５のディスクリプターに対応する第１識別情報を特定する（ステップＳ２０１）。
【００７８】
続いて、第１ＵＳＢホスト３５は、第１識別情報を第１ＤＢ３３ａから読み出す。続いて、第１ＵＳＢホスト３５は、第１識別情報をＰＪ側通信部３１に出力する。ＰＪ側通信部３１は、第１ＵＳＢホスト３５から受信した第１識別情報を、WirelessＨＤ規格に従い、６０ＧＨｚ帯のＬＲＰの無線信号で第１アンテナ３２から送信する（ステップＳ２０２）。
【００７９】
ＰＣ側通信部２１は、第１通信装置３から送信された第１識別情報を受信すると、当該第１識別情報を、第２ＵＳＢデバイス２５に出力する。第２ＵＳＢデバイス２５は、第１識別情報を受け取ると、第２ＤＢ２３ａを参照して、第１識別情報に対応する第１対応情報を特定する（ステップＳ２０３）。続いて、第２ＵＳＢデバイス２５は、ステップＳ１０８を実行する。
【００８０】
図７は、第３ＵＳＢデバイス８が第１通信装置３に接続された場合の動作を説明するためのシーケンス図である。図７において、図６に示した処理と同一の処理には同一符号を付してある。以下、図７に示した処理のうち、図６に示した処理と異なる処理を中心に説明する。
【００８１】
第１ＵＳＢホスト３５は、第３ＵＳＢデバイス８のディスクリプターを受信すると、第１ＤＢ３３ａを参照して、第３ＵＳＢデバイス８のディスクリプターに対応する第２識別情報を特定する（ステップＳ３０１）。
【００８２】
続いて、第１ＵＳＢホスト３５は、第２識別情報を第１ＤＢ３３ａから読み出す。続いて、第１ＵＳＢホスト３５は、第２識別情報をＰＪ側通信部３１に出力する。ＰＪ側通信部３１は、第１ＵＳＢホスト３５から受信した第２識別情報を、WirelessＨＤ規格に従い、６０ＧＨｚ帯のＬＲＰの無線信号で第１アンテナ３２から送信する（ステップＳ３０２）。
【００８３】
ＰＣ側通信部２１は、第１通信装置３から送信された第２識別情報を受信すると、当該第２識別情報を、第２ＵＳＢデバイス２５に出力する。第２ＵＳＢデバイス２５は、第２識別情報を受け取ると、第２ＤＢ２３ａを参照して、第２識別情報に対応する第２対応情報を特定する（ステップＳ３０３）。続いて、第２ＵＳＢデバイス２５は、ステップＳ１０８を実行する。
【００８４】
第２ＵＳＢデバイス２５は、その後、ディスクリプター要求を受信すると、第２対応情報を、第２ＵＳＢホスト１１に出力する（ステップＳ３０４）。
【００８５】
第３ＵＳＢデバイス８が出力した第２入力情報は、第１通信装置３に送信され（ステップＳ３０５）、その後、第２通信装置２に送信され（ステップＳ３０６）、その後、ＰＣ１の第２ＵＳＢホスト１１に送信される（ステップＳ３０７）。
【００８６】
本実施形態によれば、第１ＵＳＢホスト３５が受信したＵＳＢデバイスのディスクリプターに応じて、ＰＣ１の第２ＵＳＢホスト１１に出力されるディスクリプターを切り替えることが可能になる。
このため、デバイスクラスの異なるＵＳＢデバイスが、第１通信装置３に装着された場合にも、容易に対応することが可能になる。
また、第１ＵＳＢデバイス５の有するディスクリプターが、ＰＣ１のＯＳ（Operating System）に対応していなくても、第１ＵＳＢデバイス５の有するディスクリプターの第１対応情報として、ＰＣ１のＯＳに対応するディスクリプターが用いられれば、ＰＣ１のＯＳの違いに対応可能となる。また、ＰＣ等のソース機器に応じて対応情報を変更することによって、ソース機器のバリエーションにも容易に対応することができる。
【００８７】
本実施形態では、識別情報が送信されるが、識別情報はディスクリプターよりもデータ量が少ないため、ディスクリプターを送信する構成に比べて、送信されるデータ量を少なくすることができる。
【００８８】
＜第３実施形態＞
第３実施形態では、ＰＣ１と第２通信装置２との組の数が複数で存在する。
第１通信装置３は、複数の第２通信装置２の中から第１ＵＳＢデバイス５の第１入力情報の送信先を選択する選択操作を受け付ける。第１通信装置３は、選択操作にて送信先として選択された第２通信装置２に、第１ＵＳＢデバイス５の第１入力情報を送信する。
第２通信装置２は、第２ＵＳＢホスト１１との通信を確立した状況で送信先でなくなっても、第２ＵＳＢホスト１１との通信の確立を維持する。ここで、第２ＵＳＢホスト１１との通信が確立している状態は、第２ＵＳＢホスト１１によって第２ＵＳＢデバイス２５のコンフィギュレーションが完了している状態を意味する。
【００８９】
図８は、第３実施形態に係る通信システム１００を示した図である。図８において、図１に示した構成と同一構成のものには同一符号を付してある。以下、第３実施形態に係る通信システム１００について、図１に示した構成と異なる点を中心に説明する。
【００９０】
第３実施形態に係る通信システム１００は、第２通信装置２ＡとＰＣ１Ａとの組と、第２通信装置２ＢとＰＣ１Ｂとの組を、さらに含む。第２通信装置２Ａおよび２Ｂは、第２通信装置２と同一の構成を含む。ＰＣ１Ａおよび２Ｂは、ＰＣ１と同一の構成を含む。
【００９１】
第２通信装置２とＰＣ１、第２通信装置２ＡとＰＣ１Ａ、第２通信装置２ＢとＰＣ１Ｂでは、それぞれ、第２ＵＳＢホスト１１は、第２ＵＳＢデバイス２５についてコンフィギュレーションを完了しているとする。すなわち、第２通信装置２とＰＣ１、第２通信装置２ＡとＰＣ１Ａ、第２通信装置２ＢとＰＣ１Ｂでは、それぞれ、第２ＵＳＢホスト１１と第２ＵＳＢデバイス２５との通信は確立している。
【００９２】
第１通信装置３は、受付部３６を含む。受付部３６は、例えば、選択スイッチである。受付部３６は、第２通信装置２、２Ａおよび２Ｂの中から第１ＵＳＢデバイス５の第１入力情報の送信先を選択する選択操作を受け付ける。
なお、受付部３６は、第１通信装置３ではなく、第２通信装置２、２Ａおよび２Ｂのいずれかに設けられてもよい。この場合、受付部３６が受け付けた選択操作にて特定される送信先を示す送信先情報が、第１通信装置３に送信される。
【００９３】
第１ＵＳＢホスト３５は、受付部３６が選択操作を受け付けると、第１入力情報の送信先を、選択操作によって選択された送信先に変更する動作を、ＰＪ側通信部３１に実行させる。なお、第１ＵＳＢホスト３５は、ＰＪ側通信部３１が送信先情報を受信した場合、第１入力情報の送信先を、送信先情報によって特定される送信先に変更する動作を、ＰＪ側通信部３１に実行させる。
【００９４】
第２通信装置２、２Ａおよび２Ｂの各々の第２ＵＳＢデバイス２５は、第２ＵＳＢホスト１１との通信が確立された状況で、当該第２ＵＳＢデバイス２５を含む第２通信装置が送信先ではなくなっても、第２ＵＳＢホスト１１との通信の確立を維持する。以下、送信先でなくなった第２通信装置が第２ＵＳＢホスト１１との通信の確立を維持するモードを「ホールドモード」と称する。
例えば図８において、送信先が、第２通信装置２から第２通信装置２Ａに切り替わった場合、第２通信装置２はホールドモードに移行する。
【００９５】
ホールドモードの第２通信装置が備える第２ＵＳＢデバイス２５と通信を確立している第２ＵＳＢホスト１１は、当該第２ＵＳＢデバイス２５を、ＨＩＤクラスのＵＳＢデバイスとして認識し続ける。
【００９６】
第１通信装置３は、ホールドモードの第２通信装置には第１入力情報を送信せずに、送信先として選択された第２通信装置に第１入力情報を送信する。このため、ホールドモードの第２通信装置と、ホールドモードの第２通信装置と通信を確立している第２ＵＳＢホスト１１には、第１入力情報は送信されない。
【００９７】
その後、ホールドモードの第２通信装置が送信先として選択された場合、当該第２通信装置は、ホールドモードを解除する。例えば、ホールドモードになっていた第２通信装置２が送信先として選択された場合、第２通信装置２は、ホールドモードを解除する。
この際、送信先となった第２通信装置は、ＰＣとの通信の確立を維持している。このため、送信先となった第２通信装置が備える第２ＵＳＢデバイス２５についてコンフィギュレーションを実行する必要はない。よって、送信先となった第２通信装置と通信する第２ＵＳＢホスト１１は、デバイスドライバーの再インストール等のコンフィギュレーションを行うことなく、第１入力情報を受け取ることができる。
【００９８】
本実施形態によれば、第１入力情報の送信先を切り替えるごとに、第２ＵＳＢホスト１１と第２ＵＳＢデバイス２５との通信を切断したり確立したりする場合に比べて、第１入力情報の送信先の切替えをスムーズに行うことが可能になる。
このため、第１通信装置３と通信するＰＣを、複数のＰＣの中でダイナミックに切り替えて使用する用途、例えば、複数のＰＣを用いた会議または複数のＰＣを用いたプレゼンテーションにおいて、ＰＣの切替え等をスムーズに行うことが可能になる。
【００９９】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【０１００】
＜変形例１＞
第１対応情報として、第１ＵＳＢデバイス５のディスクリプターと同一の情報が用いられたが、第１対応情報は、第１ＵＳＢデバイス５のディスクリプターと同一の情報に限られない。例えば、第１対応情報として、第１ＵＳＢデバイス５のディスクリプターのサブセットが用いられてもよい。
第２対応情報も、第３ＵＳＢデバイス８のディスクリプターと同一の情報に限られない。例えば、第２対応情報として、第３ＵＳＢデバイス８のディスクリプターのサブセットが用いられてもよい。
【０１０１】
＜変形例２＞
第１通信装置３は、独立した装置でもよいし、他の装置に内蔵されてもよい。例えば、第１通信装置３は、プロジェクター４等の表示装置に内蔵されてもよい。
第１通信装置３がプロジェクター４に内蔵される場合、第１ＵＳＢデバイス５は、第１通信装置３を内蔵したプロジェクター４に接続される。
第２通信装置２は、独立した装置でもよいし、他の装置に内蔵されてもよい。例えば、第２通信装置２は、ＰＣ１等のような画像情報を出力する装置に内蔵されてもよい。
第１ＵＳＢデバイス５がプロジェクター４に接続され、プロジェクター４を介して第１ＵＳＢデバイス５および第１ＵＳＢホスト３５が通信を行ってもよい。
【０１０２】
＜変形例３＞
第１ＵＳＢデバイス５は、ＵＳＢ通信部５１とペン５２とを含むＵＳＢデバイスに限らない。例えば、第１ＵＳＢデバイス５は、ＨＩＤクラスに属するＵＳＢデバイスであればよい。
第３ＵＳＢデバイス８は、ＵＳＢ通信部８１とマウス８２とを含むＵＳＢデバイスに限らない。例えば、第３ＵＳＢデバイス８は、ＨＩＤクラスに属するＵＳＢデバイスであればよい。
【０１０３】
＜変形例４＞
第２実施形態において、第１ＤＢ３３ａおよび第２ＤＢ２３ａに記憶されるディスクリプターの数は、２以上であればよい。
【０１０４】
＜変形例５＞
第３実施形態において、第１通信装置３として、第２実施形態の第１通信装置３と同一構成の通信装置が設けられ、第２通信装置２、２Ａおよび２Ｂとして、第２実施形態の第２通信装置２と同一構成の通信装置がそれぞれ設けられてもよい。
【０１０５】
＜変形例６＞
第１通信装置３と第２通信装置との通信は、WirelessＨＤ規格に基づく通信に限らず適宜変更可能である。例えば、第１通信装置３と第２通信装置との通信は、Ｗｉ−Ｆｉのような汎用の通信伝送路上において、送受信帯域が互いに異なる通信でもよい。この場合も、第１ＵＳＢデバイス５が送信する信号のすべてを送信するシステムに比べて、必要となる帯域を小さくすることができ、画像情報の伝送と入力情報の制御との同期が容易であるなどの効果を有する。
【０１０６】
＜変形例７＞
画像情報を通信するためのケーブルは、ＨＤＭＩケーブル６に限らず適宜変更可能である。
【０１０７】
＜変形例８＞
表示装置としてプロジェクターが用いられたが、表示装置はプロジェクターに限らず適宜変更可能である。例えば、表示装置は、直視型のディスプレイであってもよい。直視型のディスプレイは、例えば、液晶ディスプレイ、有機ＥＬ（Electro Luminescence）ディスプレイ、プラズマディスプレイまたはＣＲＴ（陰極線管）ディスプレイである。
【０１０８】
＜変形例９＞
第１処理部３４および第２処理部２４の少なくとも一方がプロクラムを読み取り実行することによって実現される要素の全部または一部は、例えばＦＰＧＡ（field programmable gate array）またはＡＳＩＣ（Application
Specific IC）等の電子回路によりハードウェアで実現されてもよいし、ソフトウェアとハードウェアとの協働により実現されてもよい。
【符号の説明】
【０１０９】
１…ＰＣ、１１…第２ＵＳＢホスト、２…第２通信装置、２１…ＰＣ側通信部、２２…第２アンテナ、２３…第２記憶部、２４…第２処理部、２５…第２ＵＳＢデバイス、３…第１通信装置、３１…ＰＪ側通信部、３２…第１アンテナ、３３…第１記憶部、３４…第１処理部、３５…第１ＵＳＢホスト、４…ＰＪ、５…第１ＵＳＢデバイス、５１…ＵＳＢ通信部、５２…電子ペン。
【図１】
2019159764.tif 000003
【図２】
2019159764.tif 000004
【図３】
2019159764.tif 000005
【図４】
2019159764.tif 000006
【図５】
2019159764.tif 000007
【図６】
2019159764.tif 000008
【図７】
2019159764.tif 000009
【図８】
2019159764.tif 000010